(57)【要約】【課題】  ケースに押圧具を、指で指圧し得るように且つ筒状部の弾力により元の位置に戻るように設けるのであるが、押圧具を取り付けるための構造が複雑になり、製造コストが高いものとなっていた。【解決手段】  そこで陰茎が挿入可能な挿入口と挿入道とを有する柔軟な素材から成る筒状の精子受けとこのケースとから成り、このケースの壁面にはその長手方向に開口部を有し、この開口部の中に前記精子受けを押すための押圧具が有り、この押圧具を指圧し得るように且つ伸縮によって元の位置に戻るようにすべく、この押圧具と前記開口部との間を繋ぐ伸縮体を設けて成る精子採取器とした。押圧具がケースの開口部に伸縮体を介して接続されていることによって、構造はより簡単なものとなり比較的低コストで製造することが出来るようになった。【選択図】図１
2014204934.tif 000002
【特許請求の範囲】
【請求項１】
陰茎が挿入可能な挿入口と挿入道とを有する柔軟な素材から成る筒状の精子受けとこのケースとから成り、このケースの壁面にはその長手方向に開口部を有し、この開口部の中に前記精子受けを押すための押圧具が有り、この押圧具を指圧し得るように且つ伸縮によって元の位置に戻るようにすべく、この押圧具と前記開口部との間を繋ぐ伸縮体を設けて成ることを特徴とする、精子採取器。
【請求項２】
前記精子受けが前記ケースに対して着脱自在である、請求項１に記載の精子採取器。
【請求項３】
前記ケースはその長手方向の分割縁部に設けられた開閉部材によって開閉自在である、請求項２に記載の精子採取器。
【発明の詳細な説明】
【技術分野】
【０００１】  この発明は精子受けとそのケースとから成る精子採取器であって、精子受けの中の空気を抜いたり精子受けを押圧し得るように構成したことを特徴とする精子採取器に関するものである。
【背景技術】
【０００２】  従来の精子採取器は、陰茎を挿入するための、医療用のシリコンゴムなどを素材とする柔軟な筒状体の先端部分を閉じて精子受けとしたものが一般的である。このものを陰茎に被せて、長手方向に往復運動させることにより陰茎に摩擦刺激を加えて、精子を採取することが出来る。なお精子受けの先端部分が開放されたものにあっては、この部位に或いは陰茎そのものにコンドームを被せるなどして精液を採取するようにしている。【０００３】  実登３１５６０９４号の精子採取器は、柔軟で弾力性を有するシリコンゴム等の素材からなる筒状部１（精子受けである）と、この周りを覆う合成樹脂性のケース２とを具えており、このケース２はその長手方向の複数箇所に開口部２０を有し、この開口部２０に、フランジ部３０を備えてフランジ部３０がケース２の内側から前記開口部２０の縁部に掛かるようにした押圧具３を、前記筒状部１を指圧し得るように且つ筒状部１の弾力によって元の位置に戻るように設けた点に特徴を有するものである。押圧具３を指で押すと、この押圧具３が筒状部１を押して筒状部１が潰れ、抜気したり陰茎に圧力を加えることが出来る。この時押圧具３を押す力を加減することにより陰茎に与える刺激を変化させることが出来る。また押圧具３は個別に、複数箇所に設けられているため、刺激を加える陰茎の部位を自由に変え得る点が特徴である。【０００４】  特開２０１１−２３５０４４号の精子採取器は、上記に加えて押圧具３が筒状部１方向の位置調節手段、例えば筒状部１にテンションを掛けるための調節摘み３３のような位置調節手段を備えていることを特徴としている。【０００５】  なお筒状部１とこの周りを覆う合成樹脂性のケース２とを有するも、押圧具３を具えないタイプの精子採取器もある。例えば実登第３１７４３３０号を上げる（図７）。このものは陰茎が挿入可能な挿入口１０と挿入道１１とを有する柔軟な素材から成る筒状の精子受け１とこのケース２とから成り、精子受け１がケース２に対して着脱自在と成るように構成したものである。なお精子受け１がその長手方向に複数個に分割されたものやケース２がその長手方向に複数個に分割されたものなども提供可能である。
【先行技術文献】
【特許文献】
【０００６】
【特許文献１】実登３１５６０９４号公報
【特許文献２】特開２０１１−２３５０４４号公報
【特許文献３】実登第３１７４３３０号
【発明の概要】
【発明が解決しようとする課題】
【０００７】  ところで実登３１５６０９４号の精子採取器では、ケース２はその長手方向の複数箇所に開口部２０を有する。この開口部２０に押圧具３を、指で指圧し得るように且つ筒状部１の弾力により元の位置に戻るように設けなくてはならないのであるが、押圧具３がフランジ部３０を備えてフランジ部３０がケース２の内側から前記開口部２０の縁部に掛かるように構成しなくてはならないなど、ケース２に押圧具３を取り付けるための構造が複雑になると言う問題がある。特開２０１１−２３５０４４号の精子採取器では、更に押圧具３に調節摘み３３のような位置調節手段を備えなくてはならない。このような複雑な構造は製造コストを高くしてしまう原因となっている。【０００８】  なお実登第３１７４３３０号の精子採取器には開口部や押圧具のようなものが備わっていないが、これを設けるとなるとやはり上述したような問題を生じてしまう。【０００９】  この発明の目的は上述したような問題点を解決した新しい精子採取器を提供することにある。
【課題を解決するための手段】
【００１０】  そこで当発明者は、押圧具をケース側にではなく筒状部側に設ければ良いと言う着想を得た。押圧具を、ケースの開口部に対応させて、筒状部の表面に設けるのである。しかしながら実際には、筒状部は柔軟で弾力性を有するシリコンゴム等の素材になるものであるため、この表面に押圧具を貼り付けるようにして設けただけでは離脱してしまいやすい。しかしながら例えばＰＣＴ／ＪＰ２００８／０６０２６４号のように、押圧具を筒状部の表面に設けるもアンカーのようなもので筒状部の内部に固定するような構造にしてしまうと、やはり上述したような複雑な構造と高い製造コストの問題を生じてしまう。【００１１】  この発明の精子採取器は、陰茎が挿入可能な挿入口と挿入道とを有する柔軟な素材から成る筒状の精子受けとこのケースとから成り、このケースの壁面にはその長手方向に開口部を有し、この開口部の中に前記精子受けを押すための押圧具が有り、この押圧具を指圧し得るように且つ伸縮によって元の位置に戻るようにすべく、この押圧具と前記開口部との間を繋ぐ伸縮体を設けて成ることを特徴とする。【００１２】  この伸縮体はゴム製のものであったり蛇腹構造であったりする。押圧具はケース側にあるも伸縮体により支持されている。従って押圧具を指圧すると伸縮体が伸長して押圧具がケースの開口部の中で精子受けを押すが、押圧具を指圧する力を緩めると今度は伸縮体の収縮作用で押圧具が元に位置に戻る。押圧具はケースの開口部に伸縮体を介して接続されているため、構造はより簡略で比較的低コストで製造することが出来る。【００１３】  次に、前記精子受けが前記ケースに対して着脱自在であるものとしても良い。精子受けをケースに対して着脱自在と成るように構成したことにより、ケースから精子受けを外してその内部を洗浄することが出来る。ケースがなくなるため洗浄作業が容易である。さらに精子受けの表裏を反して挿入道を表に出せば、より良い洗浄が可能となる。この作業が終わって水分が切れたならば精子受けを再びケース内に装着すれば良い。なお精子受けをディスポーザブルとして新しい精子受けに交換する方式を提供し得る。特筆すべきは精子受けは押圧具を含まない構成であるため、製造がより容易で低コストになると言うことである。【００１４】  このケースはその長手方向の分割縁部に設けられた開閉部材によって開閉自在であるものとしても良い。ケースが分割し得ると精子受けの着脱が容易である。この分割数は好ましくは２分割である。また分割と言う場合、２分割を例に上げると、分割ケースの２個が離れて個々別々の独立したものになるものと、ケースが長手方向の一部を残して２個が繋がったままであり、その残された部分から恰も観音開きのように開くことが出来るものなどがある。また観音開きに付いてはケースの長手方向の全長に渡るのみならず長手方向の半分程度であっても良い。上記個々別々の独立した分割ケースを元のケースに戻すには２個をゴムバンドやベルトで止め合わせるなどすれば良い。【００１５】  また上記観音開きは、ケースの長手方向の分割縁部に設けられた開閉部材によって開閉自在であるものとして実現し得る。開閉部材の一例として蝶番を上げる。また一例としてケースがポリプロピレン製であって肉厚が薄い部位を開閉部材とする構成が可能である。ケースを観音開きの状態から閉じた際に閉じた状態を固定するには、任意の止め具を備えたり、ゴムバンドを用いるなどすれば良い。
【発明の効果】
【００１６】  この発明の精子採取器は、ケースの壁面に長手方向に開口部を有し、この開口部の中に精子受けを押すための押圧具があり、この押圧具と前記開口部との間を繋ぐ伸縮体を有するように構成されているので、より簡単な構造となり、製造コストも比較的易く上がると言う効果を奏する。
【図面の簡単な説明】
【００１７】
【図１】  実施例１を表した説明図である。
【図２】  実施例１の組み立て状態を表した説明図である。
【図３】  実施例２を表した説明図である。
【図４】  実施例３を表した説明図である。
【図５】  実施例４を表した説明図である。
【図６】  実施例５を表した説明図である。
【図７】  実登第３１７４３３０号を表した説明図である。
【発明を実施するための形態】
【００１８】  以下ではこの発明の精子採取器の５つの実施例を図面に基づいて説明するが、この発明はこれ等に限定されるものではなく、この発明の思想の範囲内で工夫される種々変形例もまたこの発明の権利範囲に含まれるものである。
【実施例１】
【００１９】  図１および図２で表した実施例１の精子採取器は、精子受け１とそのケース２とを組み合わせたものである。精子受け１はシリコーンゴム製に成り、長手方向の一端部に挿入口１０が開口され他端部が閉じられた円筒が、その周壁の一部が長手方向に肉薄部１３にて繋がった状態で、その肉薄部１３から２つに開いたり閉じたりし得るように構成されているものである。円筒の内側は陰茎の挿入道１１となっている。ケース２は上記精子受け１を納めるためのものであり、長手方向の一端部に開口部２０が開口され他端部が閉じられた円筒状のものである。なお図１では精子受け１を斜視状態で、ケース２を断面視状態で図解している。【００２０】  またケース２の壁面にはその長手方向に開口部２１が開口されており、この開口部２１の中に上記精子受け１を押すための押圧具としての押圧板３が有り、この押圧板３は開口部２１を架け渡すようにしてケース２の壁面に両端部で接着された伸縮体としての２本のゴム帯３０，３０で支持されるように設けられている。従って押圧板３は開口部２１の中にあって精子受け１を指圧し得るように且つゴム帯３０の伸縮によって元の位置に戻るように設けられている。【００２１】  これを精子採取器として使用するには、２つに開いた精子受け１を閉じて双方の密着面１２で密着させ、挿入口１０と開口部２０とが同じ側にあるようにして、開口部２０からケース２内に精子受け１を納めるようにする。この状態を図２で表すが精子受け１はその割り口である密着面１２で密着しているため、挿入道１１の中で精液を受けても零すことがない。【００２２】  挿入道１１に陰茎を挿入したら上記押圧板３を都合良く押して精子受け１の中の空気を抜くように操作することで、陰茎を挿入道１１により良く密着させることが出来る。押圧板３はこれを押圧する指で前後左右に押すことが出来るが、これは伸縮体としてのゴム帯３０の伸縮作用によるものである。【００２３】  精子受け１から精液を回収して精子受け１を洗浄するには、ケース２の開口部２０から精子受け１を取り出して肉薄部１３から観音開きに開くようにする。精子受け１の内部の洗浄は容易である。このように精子受け１はケース２に対して着脱自在であり、精子受け１は２つに分割し得る。【００２４】  なお上述の精子受け１では円筒の周壁の一部が長手方向に肉薄部１３にて繋がった状態で、その肉薄部１３から２つに開いたり閉じたりし得るように構成されているが、これに拘ることなく、精子受けには開いたり閉じたりしないものを用いるようにすることも可能である。
【実施例２】
【００２５】  図３はケース２の一部を表側から見た模式図であるが、ケース２の壁面にはその長手方向に開口部２１が開口されており、ここから内部の精子受け１が見えており、この開口部２１の中に精子受け１を押すための押圧具としての押圧板３が有り、この押圧板３は開口部２１を架け渡すようにして、ケース２の壁面の上記開口部２１の両側に設けられた固定具３１，３１に各々両端部で接続固定された、伸縮体としての２本のゴム帯３０，３０で支持されるように設けられている。【００２６】  ２本のゴム帯３０，３０は固定具３１，３１によってしっかりとケース２の壁面に固定される。なおゴム帯３０の代わりに鎖線で表したゴムシート３２で開口部２１を覆うようにして、このゴムシート３２の上で上記開口部２１の中に位置する部位に押圧板３を設けるように構成することも可能である。
【実施例３】
【００２７】  図４はケース２２の一部を表側から見た模式図である。このケース２２の壁面にはその長手方向に開口部２１が、その中側に押圧具としての押圧壁２５が、その長手方向の両端部にて伸縮体となる蛇腹状の橋絡部２４，２４で繋がれた状態で残るようにして、開口されている。この開口部２１と押圧壁２５との隙間からは内部にある精子受け１を見ることが出来る。【００２８】  この実施例では、押圧具としての押圧壁２５がケース２２の一部である場合を説明している。従ってケース２２と橋絡部２４と押圧壁２５とは面一となっているが、押圧壁２５の表面に例えばゴム製の凸部を取り付けるなどの工夫は任意に行って良い。なお蛇腹状の橋絡部２４は伸縮を自在に行い得るものであるため、押圧壁２５はこれを押圧する人差し指や中指や薬指で都合良く前後左右に押すことが出来る。
【実施例４】
【００２９】  この実施例の精子採取器は、長手方向の一端部に挿入口４０が開口され他端部が閉じられたシリコーンゴム製の円筒状の精子受け４と、そのケース５とを組み合わせたものである。図５では精子受け４を断面視でまたケース５を斜視状態で図解している。図中で符号４１は挿入道である。ケース５は上記精子受け４を納めるためのものであり、長手方向の一端部にフランジ部５０を伴った開口部が開口され、他端部が閉じられた円筒状のものを２分割して成るものである。なお２つに割ったケース５を合わせて円筒状にして、ケース５の２箇所に外周壁を回るようにして設けられたバンド溝５２にゴムバンド５３を掛けると、そのテンションでケース５の割り口である密着面５１同士が密着して円筒状態が強固なものとなるように設計されている。【００３０】  これを精子採取器として使用するには、円筒状の精子受け４の挿入口４０側の外周壁を回るようにして設けられた係止溝４２をケース５のフランジ部５０に嵌め合わせつつ２つに開いたケース５で挟むようにして精子受け４をその中に納め、ゴムバンド５３をバンド溝５２に掛けるようにする。従って精子受け４を納める作業は実に容易である。なおゴムバンド４３は精子採取時の滑り止めともなる。【００３１】  ところで上記ケース５の２分割された各々の壁面には、実施例３の図４に相当する開口部５４、橋絡部５５、押圧壁５６が形成されている。従って押圧具としての押圧壁５６はこれを押圧する人差し指や中指や薬指で都合良く前後左右に押すことが出来る。蛇腹状の橋絡部５５は伸縮体の役目を担っている。【００３２】  精子受け４の精液を回収して精子受け４を洗浄するには、ゴムバンド５３をケース５のバンド溝５２から外してケース５を割り、精子受け４を取り出すようにする。このように精子受け４はケース５に対して着脱自在であり、ケース５は分割可能である。
【実施例５】
【００３３】  この実施例の精子採取器は、シリコーンゴム製の円筒状の精子受け６と、そのケース７とを組み合わせたものである。図６では精子受け６もケース７も共に２つに開いたところを側面視状態で図解している。精子受け６はシリコーンゴム製に成り、長手方向の一端部に挿入口６０が開口され他端部が閉じられた円筒が、長手方向に密着面６３から２分割し得るように構成されている。挿入口６０から続く挿入道６１の壁面には陰茎を刺激するための多数の突起６２が形成されている。ケース７は上記精子受け６を納めるためのものであり、長手方向の一端部にフランジ部７０を伴った開口部が開口され、他端部が閉じられた円筒状のものを２分割して成るものである。ケース７の長手方向の分割縁部の２箇所に設けられたヒンジ７２によってこのケース７は観音開きが出来るようになっている。またケース７を観音開きの状態から閉じた際に閉じた状態を固定するための掛止具７３が上記ヒンジ７２とは反対側の分割縁部の２箇所に設けられている。一側のケース７に設けられた掛止具７３にはホックメス７４が設けられており、これに対応するホックオス７５が他側のケース７に設けられている。【００３４】  上記ケース７の２分割された各々の壁面には、実施例１の図１に相当する開口部７６が開口されており、この開口部７６の中に上記精子受け６を押すための押圧具としての押圧板８が有り、この押圧板８は開口部７６を架け渡すようにしてケース７の壁面に両端部で接着された伸縮体としての２本のゴム帯８０，８０で支持されるように設けられている。従って押圧板８は開口部７６の中にあって精子受け６を指圧し得るように且つゴム帯８０の伸縮によって元の位置に戻るように設けられている。【００３５】  これを精子採取器として使用するには、２つに開いた精子受け６を閉じて双方の密着面６３で密着させ、挿入口６０とフランジ部７０のある開口部とが同じ側にあるようにして精子受け６の挿入口６０側の外周壁を回るようにして設けられた係止溝６４をケース７のフランジ部７０に嵌め合わせつつ２つに開いたケース７で挟むようにして精子受け６をその中に納め、掛止具７３のホックメス７４をホックオス７５に掛けるようにすると、このケース７はその割り口である密着面７１同士が密着して円筒状態が強固なものとなるように設計されている。このようであるから精子受け６をケース７の中に納める作業は容易である。掛止具７３は精子採取時の滑り止めともなる。【００３６】  押圧具としての上記押圧板８はこれを押圧する人差し指や中指や薬指で都合良く前後左右に押すことが出来る。２本のゴム帯８０，８０は伸縮体の役目を担っている。【００３７】  精子受け６から精液を回収して多数の突起６２がある挿入道６１を洗浄するには、掛止具７３のホックメス７４をホックオス７５から外してケース７を観音開きに割り、精子受け６を取り出すようにする。この精子受け６もまた２つに割ることが出来るから、精子受け６の内部には多数の突起６２があるもその洗浄は容易である。このように精子受け６はケース７に対して着脱自在であり、精子受け６は分割可能であり、ケース７もまた分割可能である。【００３８】  その他の実施例
この発明のケースや精子受けの形状は任意に設計して良い。両者共に分割されるものでなくとも良い。また精子受けの挿入道の奥端に精子溜めを大きく取ったり、挿入道の壁面に波構造を持たせたり細かい突起を設けるなどの設計は自由である。開口部と押圧具との間を、上記橋絡部２４のような線状の蛇腹ではなく、カメラの鏡胴の蛇腹のような面状の蛇腹で繋ぐように構成することも出来る。各部の素材に付いても任意選択が可能である。
【産業上の利用可能性】
【００３９】  なおこの発明はヒト用に限定されることなく、家畜用等の精子採取器の分野に広く適用することが出来る。
【符号の説明】
【００４０】１    精子受け      １０  挿入口        １１  挿入道      １２  密着面
１３  肉薄部        ２    ケース        ２０  開口部      ２１  開口部
２２  ケース        ２３  開口部        ２４  橋絡部      ２５  押圧壁
３    押圧板        ３０  ゴム帯        ３１  固定具      ３２  ゴムシート
４    精子受け      ４０  挿入口        ４１  挿入道      ４２  係止溝
５    ケース        ５０  フランジ部    ５１  密着面      ５２  バンド溝
５３  ゴムバンド    ５４  開口部        ５５  橋絡部      ５６  押圧壁
６    精子受け      ６０  挿入口        ６１  挿入道      ６２  突起
６３  密着面        ６４  係止溝        ７    ケース      ７０  フランジ部
７１  密着面        ７２  ヒンジ        ７３  掛止具      ７４  ホックメス
７５  ホックオス    ７６  開口部        ８    押圧板      ８０  ゴム帯
【図１】
2014204934.tif 000003
【図２】
2014204934.tif 000004
【図３】
2014204934.tif 000005
【図４】
2014204934.tif 000006
【図５】
2014204934.tif 000007
【図６】
2014204934.tif 000008
【図７】
2014204934.tif 000009